(57)【要約】【課題】施工条件での風量限界を認識し、その限界内でモータ制御することを目的とする。【解決手段】ＤＣモータ１の回転数を検知する回転数検知手段３と、ファン２と天井との距離を測定する距離検知手段４と、ＤＣモータ１の回転数を制御する制御手段５ａとした構成により、前記制御手段５ａは前記距離検知手段４の情報により、予め記憶した距離による前記ＤＣモータ１の静圧特性から限界回転数を認識し、この限界回転数と前記回転数検知手段３から現状の回転数差とを比較し、目標回転数の上限を限界回転数に定め、前記ＤＣモータ１の回転数を制御することで、施工条件によりポールの長さが短い場合、モータの静圧が高くなり、最大風量の能力が低下しても、モータの限界回転数以下で運転することで、無駄な消費電力を使わず、室内のサーキュレーション効果を維持させることができる天井扇風機を得られる。【選択図】図１
2013189953.tif 000002
【特許請求の範囲】
【請求項１】
中心をポールで軸支される外転型のＤＣモータと、前記ＤＣモータの回転子に固定されるファンと、前記ＤＣモータの回転数を検知する回転数検知手段と、ファンと天井との距離を測定する距離検知手段と、前記ＤＣモータの回転数を制御する制御手段とを設け、前記制御手段は、前記距離検知手段の情報によりファンと天井までの距離を推定して、予め記憶した距離による前記ＤＣモータの静圧特性から、限界回転数を認識し、前記限界回転数と前記回転数検知手段から現状の回転数差とを比較し、目標回転数の上限を限界回転数に定め、前記ＤＣモータの回転数を制御する構成とした天井扇風機。
【請求項２】
運転開始から所定の時間は室内のサーキュレーション効果を向上させるため、目標回転数の上限を限界回転数より高い回転数に定めて回転数を制御する制御手段とを設けた請求項１に記載の天井扇風機。
【請求項３】
本体近傍の温度を検知する温度検知手段と、前記温度検知手段の情報により、所定の温度変化を検知すると室内のサーキュレーション効果を向上させるため、目標回転数の上限を限界回転数より高い回転数に定めて回転数を制御する制御手段とを設けた請求項１または２に記載の天井扇風機。
【請求項４】
ファンと天井までの距離を測定する距離検知手段を複数設け、その距離情報から距離の最短を判断する制御手段とを設けた請求項１から３のいずれか一項に記載の天井扇風機。
【請求項５】
ブザーやランプ等の報知手段と、前記限界回転数が所定の回転数以下と判断した場合、前記報知手段により施工者に知らせて再施工を促す制御手段とを設けた請求項１から４のいずれか一項に記載の天井扇風機。
【請求項６】
施工完了等での初期通電時に、前記距離検知手段の情報を初期検知距離として不揮発性メモリーに記憶する記憶手段と、前記記憶手段の記憶した初期検知距離の情報と運転開始等に前記距離検知手段の距離情報に所定の差がある場合、本体の取り付け不備が発生したと認識し、運転開始をせずに停止状態を保持する制御手段とを設けた請求項１から５のいずれか一項に記載の天井扇風機。
【発明の詳細な説明】
【技術分野】
【０００１】
本発明は、省エネのために空調機と併用使用される天井扇風機に関するものである。
【背景技術】
【０００２】
省エネの要求が高まる中、天井扇風機のサーキュレーション作用を冷暖房空調機と併用することで、快適性を維持しながら、空調機の冷暖房効率をアップさせることができ、省エネ向上が図れる目的として使用される。
【０００３】
従来、この種の天井扇風機は、使用者がリモコン操作で風量操作されたものが知られている（例えば、特許文献１参照）。
【０００４】
以下、その天井扇風機について図５を参照しながら説明する。
【０００５】
図５に示すように、中心をポール１０１で軸支される外転型のモータ１０２と、このモータの回転子１０３に固定されるファン１０４と、前記モータ１０２の固定子１０５の下面に固定される制御ボックス１０６と、前記制御ボックス１０６に収納される制御手段１０７と、前記制御ボックス１０６の下面にリモコンの赤外線信号を受信する受光ユニット１０８で構成される。
【０００６】
上記構成において、天井扇風機の運転時には、リモコン（図示せず）からの赤外線信号を前記受光ユニット１０８が受信し、前記制御手段１０７がその受信信号により予め規定された回転数で前記ファン１０４が回転するように前記モータ１０２を制御することで、室内の循環送風をおこなう。
【０００７】
そして、空調機の冷暖房効率を向上させるためのサーキュレーション作用のため、前記モータ１０２を夏季と冬季で回転方向を反転させることが知られている。
【０００８】
これは、天井扇風機からの送風が夏季は使用者に直接当たっても涼感を得られるが、冬季は冷風感を生じるためであり、さらに、冬季は天井近くに溜まった暖気をかく拌することで、床面との温度差を減らすことが主な目的である。
【０００９】
そして、さらなる省エネのために、ファンを駆動させるモータを商用電源で駆動するＡＣモータから直流電圧で駆動するＤＣモータにすることで、モータの消費電力が軽減され、省エネの向上が期待できる。
【００１０】
また、ＤＣモータを搭載することで、モータの回転数の可変が容易に制御可能となり、風量調整が容易に行えるメリットもある。
【先行技術文献】
【特許文献】
【００１１】
【特許文献１】特開２００７−１０７４１９号公報
【発明の概要】
【発明が解決しようとする課題】
【００１２】
このような従来の天井扇風機においては、施工時に天井高さの関係で天井から吊り下げられるポールの長さによっては、ファンと天井との距離が狭くなり、ファンモータとしては静圧が高くなり、風量が低下する傾向になる。
【００１３】
そのため、制御回路を搭載した場合は、風量確保のためにＤＣモータの回転数を制御する方式が知られている。
【００１４】
しかし、所定の風量を確保するためにファンモータの回転数を上げようとしても、モータの性能によっては回転数が上がらず、すなわち風量はアップできず、モータの消費電力だけが増える傾向になるという課題を有していた。
【００１５】
そこで本発明は、上記従来の課題を解決するものであり、施工条件によりポールの長さが短くなり、モータの最大風量の能力が低下しても、モータの限界回転数以下で運転することで、無駄な消費電力を使わず、室内のサーキュレーション効果を維持させることができるようにした天井扇風機を提供することを目的とする。
【課題を解決するための手段】
【００１６】
そして、この目的を達成するために、本発明は中心をポールで軸支される外転型のＤＣモータと、前記ＤＣモータの回転子に固定されるファンと、前記ＤＣモータの回転数を検知する回転数検知手段と、ファンと天井との距離を測定する距離検知手段と、前記ＤＣモータの回転数を制御する制御手段とを設け、前記制御手段は、前記距離検知手段の情報によりファンと天井までの距離を推定して、予め記憶した距離による前記ＤＣモータの静圧特性から、限界回転数を認識し、前記限界回転数と前記回転数検知手段から現状の回転数差とを比較し、目標回転数の上限を限界回転数に定め、前記ＤＣモータの回転数を制御するようにしたものであり、これにより所期の目的を達成するものである。
【００１７】
また、本発明は運転開始から所定の時間は室内のサーキュレーション効果を向上させるため、目標回転数の上限を限界回転数より高い回転数に定めて回転数を制御する制御手段とした。
【００１８】
また本発明は本体近傍の温度を検知する温度検知手段と、前記温度検知手段の情報により、所定の温度変化を検知すると室内のサーキュレーション効果を向上させるため、目標回転数の上限を限界回転数より高い回転数に定めて回転数を制御する制御手段とした。
【００１９】
また本発明はファンと天井までの距離を測定する距離検知手段を複数設け、その距離情報から距離の最短を判断する制御手段とした。
【００２０】
また本発明はブザーやランプ等の報知手段と、前記限界回転数が所定の回転数以下と判断した場合、前記報知手段により施工者に知らせて再施工を促す制御手段とした。
【００２１】
また本発明は施工完了等での初期通電時に、前記距離検知手段の情報を初期検知距離として不揮発性メモリーに記憶する記憶手段と、前記記憶手段の記憶した初期検知距離の情報と運転開始等に前記距離検知手段の距離情報に所定の差がある場合、本体の取り付け不備が発生したと認識し、運転開始をせずに停止状態を保持する制御手段とした。
【発明の効果】
【００２２】
本発明によれば、中心をポールで軸支される外転型のＤＣモータと、前記ＤＣモータの回転子に固定されるファンと、前記ＤＣモータの回転数を検知する回転数検知手段と、
ファンと天井との距離を測定する距離検知手段と、前記ＤＣモータの回転数を制御する制御手段とを設け、前記制御手段は、前記距離検知手段の情報によりファンと天井までの距離を推定して、予め記憶した距離による前記ＤＣモータの静圧特性から、限界回転数を認識し、前記限界回転数と前記回転数検知手段から現状の回転数差とを比較し、目標回転数の上限を限界回転数に定め、前記ＤＣモータの回転数を制御するという構成にしたことにより、モータの限界回転数以下で運転することで、無駄な消費電力を使わず、室内のサーキュレーション効果を維持させることができるという効果を得ることができる。
【図面の簡単な説明】
【００２３】
【図１】本発明の実施の形態１および２、３、５、６の天井扇風機の構成図
【図２】本発明の実施の形態１のモータの特性図
【図３】本発明の実施の形態４の天井扇風機の構成図
【図４】本発明の実施の形態４の天井扇風機の平面図
【図５】従来の天井扇風機の構成図
【発明を実施するための形態】
【００２４】
本発明の請求項１記載の天井扇風機は、中心をポールで軸支される外転型のＤＣモータと、前記ＤＣモータの回転子に固定されるファンと、前記ＤＣモータの回転数を検知する回転数検知手段と、ファンと天井との距離を測定する距離検知手段と、前記ＤＣモータの回転数を制御する制御手段とを設け、前記制御手段は、前記距離検知手段の情報によりファンと天井までの距離を推定して、予め記憶した距離による前記ＤＣモータの静圧特性から、限界回転数を認識し、前記限界回転数と前記回転数検知手段から現状の回転数差とを比較し、目標回転数の上限を限界回転数に定め、前記ＤＣモータの回転数を制御するという構成を有する。
【００２５】
これにより、施工条件によりポールの長さが短い場合、モータの静圧が高くなり、最大風量の能力が低下しても、モータの限界回転数以下で運転することで、無駄な消費電力を使わず、室内のサーキュレーション効果を維持させることができる。
【００２６】
さらに、ＤＣモータの回転数を限界回転数内で使用することで、モータ発熱を抑えることができ、発熱によるベアリング内のグリスの劣化を軽減できる。
【００２７】
そのため、ベアリングの寿命が延びることで、モータ自信の寿命を長くすることができる。
【００２８】
また、天井から吊り下げるため、本体のモータは軽量や小型化が施工上のメリットが高く、モータを小型化することでコスト面でのメリットもあるが、反面モータの小型化をすることで静圧が高くなると風量の最大値が低くなることに対して、比較的静圧能力が低い小型モータを効率的に使用できることで、施工時の軽量化やコストメリットが期待できるという効果を奏する。
【００２９】
また、運転開始から所定の時間は室内のサーキュレーション効果を向上させるため、目標回転数の上限を限界回転数より高い回転数に定めて回転数を制御する制御手段という構成にしてもよい。
【００３０】
これにより、運転開始時の所定の時間だけは、限界回転数より高い回転数でモータを回転させるより、回転数の検知誤差やモータのばらつきを加味して、限界回転数の風量を確保することができ、運転開始時に室内の気流の流れを作り、室温の温度分布の差を早期に改善することで、使用者の快適性の向上につながることができるという効果を奏する。
【００３１】
また、本体近傍の温度を検知する温度検知手段と、前記温度検知手段の情報により、所定の温度変化を検知すると室内のサーキュレーション効果を向上させるため、目標回転数の上限を限界回転数より高い回転数に定めて回転数を制御する制御手段という構成にしてもよい。
【００３２】
これにより、運転中に空調機の冷房または暖房運転等による所定の温度変化を前記温度検知手段が検知すると、前記制御手段は室内全体の温度差があると判断し、サーキュレーション作用を向上させる必要があると判断して、限界回転数より高い回転数に定めてでモータを回転させるより、回転数の検知誤差やモータのばらつきを加味して、限界回転数の風量を確保することができ、空調機の冷房または暖房運転による室内の温度分布をより均一にするサーキュレーション作用を提供できるという効果を奏する。
【００３３】
また、ファンと天井までの距離を測定する距離検知手段を複数設け、その距離情報から距離の最短を判断する制御手段という構成にしてもよい。
【００３４】
これにより、前記距離検知手段の少なくとも１つの距離情報は、他の距離情報より天井までの距離が短い情報となる。この最も短い距離からファンと天井までの距離を推定して、予め記憶した距離による前記ＤＣモータの静圧特性から、限界回転数を認識し、目標回転数の上限を限界回転数に定め、前記ＤＣモータ１の回転数を制御することで、施工条件により勾配のある天井に取り付けられた場合でも、モータの限界回転数以下で運転することで、無駄な消費電力を使わず、室内のサーキュレーション効果を維持させることができるという効果を奏する。
【００３５】
また、ブザーやランプ等の報知手段と、前記限界回転数が所定の回転数以下と判断した場合、前記報知手段により施工者に知らせて再施工を促す制御手段という構成にしてもよい。
【００３６】
これにより、前記制御手段は前記距離検知手段のファンと天井までの距離を推定して、予め記憶した距離による前記ＤＣモータ１の静圧特性から、限界回転数を認識し、その限界回転数が所定の回転数以下と判断した場合、風量が低下しすぎとなるため、所定の室内のサーキュレーション効果を得られないと判断し、前記報知手段により施工者に再施工を促すようにするので、施工者が施工条件により、風量性能がどの程度落ちているのかファンの回転だけでは判断しにくいため、所定の風量性能が出ないことを施工者に報知して認識させることで、再施工により室内のサーキュレーション効果を確保することができるという効果を奏する。
【００３７】
また、施工完了等での初期通電時に、前記距離検知手段の情報を初期検知距離として不揮発性メモリーに記憶する記憶手段と、前記記憶手段の記憶した初期検知距離の情報と運転開始等に前記距離検知手段の距離情報に所定の差がある場合、本体の取り付け不備が発生したと認識し、運転開始をせずに停止状態を保持する制御手段という構成にしてもよい。
【００３８】
これにより、初期通電時の初期検知距離と運転開始時の距離情報に所定の差を比較することで、長期使用中に取り付け不備やポールの接続部の磨耗や金属疲労により本体の吊り下げが外れた場合も、安全にファンの停止状態を維持できるという効果を奏する。
【００３９】
以下、本発明の実施の形態について図面を参照しながら説明する。
【００４０】
（実施の形態１）
図１に示すように、中心をポールで軸支される外転型のＤＣモータ１と、前記ＤＣモータ１の回転子に固定されるファン２と、前記ＤＣモータ１の回転数を検知する回転数検知手段３と、前記ファン２と天井との距離を測定する距離検知手段４と、前記距離検知手段４の情報によりファンと天井までの距離を推定して、予め記憶した距離による前記ＤＣモータ１の静圧特性から限界回転数を認識し、前記限界回転数と前記回転数検知手段３から現状の回転数差とを比較して、前記ＤＣモータ１の回転数を制御する制御手段５ａとを設けた構成を有する。
【００４１】
上記構成において、前記距離検知手段４としては、超音波方式による距離の測定方法があり、超音波信号を任意の時間発音できる送信側と超音波信号を受信できる受信側から構成される。
【００４２】
送信側より超音波信号を任意の時間発音させた場合、送信前方に天井があると超音波信号が反射され、受信側で反射された超音波信号が検知できる。この時、送信側の超音波信号の送信開始時間と、天井によって反射された超音波信号が受信側で受信された時間差を音速より演算して距離を推定する。天井との距離が近い程、受信側の検知時間差が短く、逆に天井との距離が遠い程、検知時間差が長くなり、この検知時間をもとに距離を推定する。
【００４３】
また、前記回転数検知手段３としては、前記ＤＣモータ１の回転子近傍にホール素子を用いて、現状の回転数を認識する。
【００４４】
図２はモータの風量に対する静圧、回転数特性を示し、静圧が低くなれば風量は増し、回転数を上げれば風量が増加する特性を示している。
【００４５】
図２記載の必要な風量Ｑ１を確保するには、対応する回転数Ｎ１を目標にＤＣモータの回転を制御すればよい。
【００４６】
ところが、ファンモータに静圧Ｐ２が加わる場合、モータ特性の関係で風量はＱ２以下しか出せなくなり、対応する回転数もＮ２が限界回転数となってしまう。
【００４７】
そのため、風量Ｑ１が必要な場合に目標回転数Ｎ１に向けて制御しても、回転数は上がらず、風量が確保できなくなる。
【００４８】
こうして、前記制御手段５ａは前記距離検知手段４の情報によりファン２と天井までの距離を推定して、予め記憶した距離による前記ＤＣモータ１の静圧特性から、限界回転数Ｎ２を認識する。
【００４９】
さらに、この限界回転数Ｎ２と前記回転数検知手段３から現状の回転数差とを比較し、回転数の検知誤差やモータのばらつきを考慮して、目標回転数の上限を限界回転数Ｎ２より少し低い回転数Ｎ３に定め、前記ＤＣモータ１の回転数を制御する。
【００５０】
これにより、施工条件によりポールの長さが短い場合、モータの静圧が高くなり、最大風量の能力が低下しても、モータの限界回転数以下で運転することで、無駄な消費電力を使わず、室内のサーキュレーション効果を維持させることができる。
【００５１】
さらに、ＤＣモータの回転数を限界回転数内で使用することで、モータ発熱を抑えることができ、発熱によるベアリング内のグリスの劣化を軽減できる。
【００５２】
そのため、ベアリングの寿命が延びることで、モータ自信の寿命を長くすることができる。
【００５３】
また、天井から吊り下げるため、本体のモータは軽量や小型化が施工上のメリットが高く、モータを小型化することでコスト面でのメリットもあるが、反面モータの小型化をすることで静圧が高くなると風量の最大値が低くなることに対して、比較的静圧能力が低い小型モータを効率的に使用できることで、施工時の軽量化やコストメリットが期待できる。
【００５４】
なお、回転数検知手段３としては、ホール素子にて前記ＤＣモータ１の回転数を検知させたが、モータに流れる各巻き線の電流特性から回転数を演算してもよく、その作用効果に差異を生じない。
【００５５】
なお、回転数の検知誤差やモータのばらつきを考慮して、目標回転数の上限を限界回転数Ｎ２より少し低い回転数Ｎ３に定めて回転数を制御したが、回転数の検知誤差やモータのばらつき特性より、目標回転数の上限を限界回転数Ｎ２にしてもよく、その作用効果に差異を生じない。
【００５６】
（実施の形態２）
図１および図２において、前記実施例１と同様の構成要素については同一の符号を付し、その詳細な説明は省略する。
【００５７】
運転開始から所定の時間は室内のサーキュレーション効果を向上させるため、目標回転数の上限を限界回転数より高い回転数に定めて回転数を制御する制御手段５ｂとを設けた構成を有する。
【００５８】
上記構成において、前記制御手段５ｂは運転開始時に予め記憶した所定の時間内は、目標回転数の上限を前記距離検知手段４の情報により限界回転数Ｎ２を認識し、回転数の検知誤差やモータのばらつきを考慮して、目標回転数を限界回転数Ｎ２より少し高い回転数Ｎ４で前記ＤＣモータ１を制御する。
【００５９】
また、所定の時間以降の運転では、前記ＤＣモータ１の距離による限界回転数Ｎ２と前記回転数検知手段３から現状の回転数差とを比較し、目標回転数の上限を限界回転数Ｎ２より少し低い回転数Ｎ３に定め、前記ＤＣモータ１の回転数を制御する。
【００６０】
これにより、運転開始時の所定の時間だけは、限界回転数Ｎ２より少し高い回転数Ｎ４で制御することで、限界回転数Ｎ２でモータを回転させるより消費電力は多少犠牲になるが、回転数の検知誤差やモータのばらつきを加味して、限界回転数Ｎ２の風量を確保することができ、運転開始時に室内の気流の流れを作り、室温の温度分布の差を早期に改善することで、使用者の快適性の向上につながることができる。
【００６１】
なお、回転数の検知誤差やモータのばらつきを考慮して、目標回転数の上限を限界回転数Ｎ２より少し高い回転数Ｎ４に定めて回転数を制御したが、回転数の検知誤差やモータのばらつき特性より、目標回転数の上限を限界回転数Ｎ２にしてもよく、その作用効果に差異を生じない。
【００６２】
（実施の形態３）
図１および図２において、前記実施例１と同様の構成要素については同一の符号を付し、その詳細な説明は省略する。
【００６３】
本体近傍の温度を検知する温度検知手段６と、前記温度検知手段６の情報により、所定の温度変化を検知すると室内のサーキュレーション効果を向上させるため、目標回転数の上限を限界回転数より高い回転数を定めて制御をする制御手段５ｃとを設けた構成を有する。
【００６４】
上記構成において、運転中に空調機の冷房または暖房運転等による所定の温度変化を前記温度検知手段６が検知すると、前記制御手段５ｃは室内全体の温度差があると判断し、サーキュレーション作用を向上させる必要があると判断する。
【００６５】
そのため、前記所定の温度変化があると前記制御手段５ｃは前記ＤＣモータ１の目標回転数の上限を限界回転数Ｎ２より少し低い回転数Ｎ３にて制御していたのを一時解除し、目標回転数を限界回転数Ｎ２より少し高い回転数Ｎ４で前記ＤＣモータ１を制御する。
【００６６】
そして、所定の運転時間後には、室内のサーキュレーション作用の効果が安定したと判断して、前記ＤＣモータ１の目標回転数の上限を限界回転数Ｎ２より少し低い回転数Ｎ３に定めて制御する。
【００６７】
これにより、空調機の冷房または暖房運転による室内の温度分布をより均一にするサーキュレーション作用を提供できる。
【００６８】
（実施の形態４）
図３および図４において、図１および図２と同様の構成要素については同一の符号を付し、その詳細な説明は省略する。
【００６９】
ファン２と天井までの距離を測定する距離検知手段４を複数、望ましくは４個以上を本体のポールに対して同心円で等間隔の距離に設け、その各距離情報から距離の最短を判断する制御手段５ｄとを設けた構成を有する。
【００７０】
上記構成において、施工条件により、天井が勾配のあるところに設置された場合、図４のように４個の前記距離検知手段４の少なくとも１つの距離情報は、他の距離情報より天井までの距離が短い情報となる。
【００７１】
このとき、前記制御手段５ｄは各距離検知手段４の天井までの距離情報で、最も短い距離からファン２と天井までの距離を推定して、予め記憶した距離による前記ＤＣモータ１の静圧特性から、限界回転数Ｎ２を認識し、目標回転数の上限を限界回転数Ｎ２より少し低い回転数Ｎ３に定め、前記ＤＣモータ１の回転数を制御する。
【００７２】
これにより、施工条件により勾配のある天井に取り付けられた場合でも、モータの限界回転数以下で運転することで、無駄な消費電力を使わず、室内のサーキュレーション効果を維持させることができる。
【００７３】
（実施の形態５）
図１および図２において、前記実施例１と同様の構成要素については同一の符号を付し、その詳細な説明は省略する。
【００７４】
ブザーやランプ等の報知手段７と、前記限界回転数が所定の回転数以下と判断した場合、前記報知手段７により施工者に知らせて再施工を促す制御手段５ｅとを設けた構成を有する。
【００７５】
上記構成において、前記制御手段５ｅは前記距離検知手段４のファン２と天井までの距離を推定して、予め記憶した距離による前記ＤＣモータ１の静圧特性から、限界回転数Ｎ５を認識する。
【００７６】
前記制御手段５ｅはその限界回転数Ｎ５が所定の回転数Ｎ６以下と判断した場合、風量がＱ６以下となるため、所定の室内のサーキュレーション効果を得られないと判断し、前記報知手段７により、施工者に再施工を促すようにする。
【００７７】
これにより、施工者が施工条件により、風量性能がどの程度落ちているのかファンの回転だけでは判断しにくいため、所定の風量性能が出ないことを施工者に報知して認識させることで、再施工により室内のサーキュレーション効果を確保することができる。
【００７８】
（実施の形態６）
図１および図２において、前記実施例１と同様の構成要素については同一の符号を付し、その詳細な説明は省略する。
【００７９】
施工完了等での初期通電時に、前記距離検知手段４の情報を初期検知距離として不揮発性メモリーに記憶する記憶手段８と、
前記記憶手段８の記憶した初期検知距離の情報と運転開始等に前記距離検知手段４の距離情報に所定の差がある場合、本体の取り付け不備が発生したと認識し、運転開始をせずに停止状態を保持する制御手段５ｆとを設けた構成を有する。
【００８０】
上記構成において、初期通電時に、前記記憶手段８は前記距離検知手段４のファン２と天井までの距離情報を初期検知距離として記憶する。
【００８１】
例えば、長期使用中に取り付け不備やポールの接続部の磨耗や金属疲労により本体の吊り下げが外れた場合を想定すると、前記制御手段５ｆは運転開始時に前記距離検知手段４の距離情報と前記初期検知距離の情報を比較して所定の差を認識した場合、本体の取り付け不備が発生して、本体が下がってきたと認識し、運転開始をせずに停止状態を保持させる。
【００８２】
これにより、長期使用中に取り付け不備やポールの接続部の磨耗や金属疲労により本体の吊り下げが外れた場合も、安全にファンの停止状態を維持できる。
【００８３】
なお、実施の形態６では、不揮発性メモリーとして記憶手段８を設けたが、マイクロコンピュータを用いて制御手段５ｆと記憶手段８を共用してもよく、その作用効果に差異を生じない。
【産業上の利用可能性】
【００８４】
本発明にかかる天井扇風機は、施工条件等によりモータの静圧が高くなり、最大風量の能力が低下しても、モータの限界回転数以下で運転することで、無駄な消費電力を使わず、室内のサーキュレーション効果の維持を可能とするものであるので、省エネのために冷暖房の空調機と併用使用される天井扇風機等として有用である。
【符号の説明】
【００８５】
１    ＤＣモータ
２    ファン
３    回転数検知手段
４    距離検知手段
５ａ  制御手段
５ｂ  制御手段
５ｃ  制御手段
５ｄ  制御手段
５ｅ  制御手段
５ｆ  制御手段
６    温度検知手段
７    報知手段
８    記憶手段
【図１】
2013189953.tif 000003
【図２】
2013189953.tif 000004
【図３】
2013189953.tif 000005
【図４】
2013189953.tif 000006
【図５】
2013189953.tif 000007